(57)【要約】【課題】環境保全への貢献度を表示して、ユーザの環境保全に対する意識を高めることができる画像処理装置を提供する。【解決手段】画像処理装置１００は、画像データを印刷する印刷手段１０１と、印刷手段１０１によって印刷するときの印刷条件を指示する条件指示手段１０４と、環境保全への貢献度を定量的に示した貢献ポイントと印刷条件とを関連付けた貢献ポイントデータ１０５ｄを保存する貢献ポイントデータベース１０５と、貢献ポイントデータ１０５ｄに基づいて、条件指示手段１０４が指示する印刷条件に対応する貢献ポイントを判定するポイント判定手段１０６と、ポイント判定手段１０６の判定結果を表示する表示手段１０２とを備える。【選択図】図１
2011244147.tif 000002
【特許請求の範囲】
【請求項１】
画像データを印刷する印刷手段と、前記印刷手段によって印刷するときの印刷条件を指示する条件指示手段とを備える画像処理装置であって、
環境保全への貢献度を定量的に示した貢献ポイントと前記印刷条件とを関連付けた貢献ポイントデータを保存する貢献ポイントデータベースと、
前記貢献ポイントデータに基づいて、前記条件指示手段が指示する印刷条件に対応する貢献ポイントを判定するポイント判定手段と、
前記ポイント判定手段の判定結果を表示する表示手段とを備えること
を特徴とする画像処理装置。
【請求項２】
請求項１に記載の画像処理装置であって、
前記ポイント判定手段は、前記印刷条件に対応する貢献ポイントを判定結果とすること
を特徴とする画像処理装置。
【請求項３】
請求項２に記載の画像処理装置であって、
前記ポイント判定手段は、前記条件指示手段によって複数の印刷条件を指示されたとき、それぞれの印刷条件に対応する貢献ポイントを合計した値を判定結果とすること
を特徴とする画像処理装置。
【請求項４】
請求項１から請求項３までのいずれか１つに記載の画像処理装置であって、
前記表示手段は、前記ポイント判定手段の判定結果に応じて、所定の通知を表示すること
を特徴とする画像処理装置。
【請求項５】
請求項１から請求項４までのいずれか１つに記載の画像処理装置であって、
前記貢献ポイントを累計した累計ポイントを累計ポイントデータとして保存する累計ポイントデータベースと、
前記ポイント判定手段の判定結果に基づいて、前記累計ポイントデータを更新する累計ポイントデータ更新手段とを備え、
前記表示手段は、前記累計ポイントデータに応じて、所定の表示パターンを表示すること
を特徴とする画像処理装置。
【請求項６】
請求項５に記載の画像処理装置であって、
前記表示手段は、前記条件指示手段からの指示と同期するように前記所定の表示パターンを表示すること
を特徴とする画像処理装置。
【請求項７】
請求項５または請求項６に記載の画像処理装置であって、
前記累計ポイントデータには、前記表示手段に表示される表示パターンを決定するための閾値が設定されており、
前記表示手段は、前記累計ポイントと前記閾値との差を表示すること
を特徴とする画像処理装置。
【請求項８】
請求項１から請求項７までのいずれか１つに記載の画像処理装置であって、
前記貢献ポイントデータを更新する貢献ポイントデータ更新手段を備えること
を特徴とする画像処理装置。
【請求項９】
請求項１から請求項８までのいずれか１つに記載の画像処理装置であって、
前記貢献ポイントデータベースには、複数の貢献ポイントデータが保存され、
前記ポイント判定手段が判定するときに適用する貢献ポイントデータを指示するデータ指示手段を備えること
を特徴とする画像処理装置。
【請求項１０】
コンピュータに、画像データを印刷するときの印刷条件を指示する条件指示ステップを画像処理装置で実行させるコンピュータプログラムであって、
コンピュータに、環境保全への貢献度を定量的に示した貢献ポイントと前記印刷条件とを関連付けた貢献ポイントデータを貢献ポイントデータベースに保存させるステップと、
コンピュータに、前記貢献ポイントデータに基づいて、指示された印刷条件に対応する貢献ポイントを判定させるポイント判定ステップと、
コンピュータに、前記ポイント判定ステップの判定結果を表示手段に表示させる表示ステップとを実行させること
を特徴とするコンピュータプログラム。
【発明の詳細な説明】
【技術分野】
【０００１】
本発明は、画像処理装置に関し、環境保全に対して有益な情報を提供する画像処理装置、コンピュータに環境保全に対して有益な情報を表示させるためのコンピュータプログラムに関する。
【背景技術】
【０００２】
近年、企業や役所などのオフィスにおいては、コピー、プリンタおよびスキャナなどの機能を集約した、高速で高画質な画像処理装置が設置されるようになっている。これにより、オフィスでは、紙への出力が頻繁に行われ、多くの資源が消費されている。しかしながら、世間では、環境問題に関する関心が高まっており、さまざまな分野において、自然保護、省エネルギー化や省資源化といった環境保全への取り組みが重要視されている。
【０００３】
自動車においては、クリーンな走行手段として電気自動車が研究され、実用化されつつある。そこで、電気自動車の利用によって削減できた排出ガス量を呈示して、環境保全上得られた効果を利用者に知らせる環境貢献度呈示装置が考えられている（例えば、特許文献１参照）。
【０００４】
また、画像処理装置においては、常に電力が供給されているため、省エネルギー化が検討されている。そこで、画像処理装置における動作状態毎の消費電力量を表示出力する技術が利用されている（例えば、特許文献２参照）。それによって、ユーザに、自身の利用により消費された消費電力量を認識させることで、環境保全に対するユーザの意識レベルを向上させている。
【先行技術文献】
【特許文献】
【０００５】
【特許文献１】特開２００１−７８３０４号公報
【特許文献２】特開２００６−３９４４３号公報
【発明の概要】
【発明が解決しようとする課題】
【０００６】
しかしながら、特許文献１に係る環境貢献度呈示装置は、ユーザの運転によって削減できた排出ガス量を呈示するため、環境保全への貢献度について、ユーザは、電気自動車を運転した後での結果しか把握できない。そのため、予めユーザに環境保全への貢献度を知らせることはできないという課題がある。
【０００７】
また、特許文献２に係る画像処理装置についても、利用した後での消費電力量を表示するため、予めユーザに環境保全への貢献度を知らせることはできないという課題がある。
【０００８】
本発明は、上記の課題を解決するためになされたものであり、予め環境保全への貢献度を表示して、ユーザの環境保全に対する意識を高めることができる画像処理装置およびコンピュータプログラムを提供することを目的とする。
【課題を解決するための手段】
【０００９】
本発明に係る画像処理装置は、画像データを印刷する印刷手段と、前記印刷手段によって印刷するときの印刷条件を指示する条件指示手段とを備える画像処理装置であって、環境保全への貢献度を定量的に示した貢献ポイントと前記印刷条件とを関連付けた貢献ポイントデータを保存する貢献ポイントデータベースと、前記貢献ポイントデータに基づいて、前記条件指示手段が指示する印刷条件に対応する貢献ポイントを判定するポイント判定手段と、前記ポイント判定手段の判定結果を表示する表示手段とを備えることを特徴とする。
【００１０】
この構成によると、画像データ（例えば、文書、写真）を印刷する際に、環境保全への貢献度を表示することにより、環境保全に対して有益な情報を提供する画像処理装置とすることができ、ユーザの環境保全に対する意識を高めることができる。
【００１１】
本発明に係る画像処理装置では、前記ポイント判定手段は、前記印刷条件に対応する貢献ポイントを判定結果とすることを特徴とする。
【００１２】
この構成によると、ユーザは、環境保全への貢献度を定量的に把握できる。
【００１３】
本発明に係る画像処理装置では、前記ポイント判定手段は、前記条件指示手段によって複数の印刷条件を指示されたとき、それぞれの印刷条件に対応する貢献ポイントを合計した値を判定結果とすることを特徴とする。
【００１４】
この構成によると、複数の印刷条件を組み合わせたときの、貢献ポイントを表示できるため、更に環境保全に貢献できることを表示できる。それによって、ユーザにより効果的な画像処理装置の利用を促すことができる。
【００１５】
本発明に係る画像処理装置では、前記表示手段は、前記ポイント判定手段の判定結果に応じて、所定の通知を表示することを特徴とする。
【００１６】
この構成によると、ユーザは、環境保全への貢献度をさらに明確に把握できる。
【００１７】
本発明に係る画像処理装置は、前記貢献ポイントを累計した累計ポイントを累計ポイントデータとして保存する累計ポイントデータベースと、前記ポイント判定手段の判定結果に基づいて、前記累計ポイントデータを更新する累計ポイントデータ更新手段とを備え、前記表示手段は、前記累計ポイントデータに応じて、所定の表示パターンを表示することを特徴とする。
【００１８】
この構成によると、ユーザは、表示パターンによって、環境保全への貢献度を直観的に把握することができる。また、表示パターンの変化によって、環境保全への貢献度の実績をユーザに直観的に認知させることができる。
【００１９】
本発明に係る画像処理装置では、前記表示手段は、前記条件指示手段からの指示と同期するように前記所定の表示パターンを表示することを特徴とする。
【００２０】
この構成によると、ユーザは、印刷条件を指定した際に、環境保全への貢献度を即座に把握できる。
【００２１】
本発明に係る画像処理装置は、前記累計ポイントデータには、前記表示手段に表示される表示パターンを決定するための閾値が設定されており、前記表示手段は、前記累計ポイントと前記閾値との差を表示することを特徴とする。
【００２２】
この構成によると、ユーザは、表示パターンを変化させるために必要な貢献ポイントを把握できる。
【００２３】
本発明に係る画像処理装置は、前記貢献ポイントデータを更新する貢献ポイントデータ更新手段を備えることを特徴とする。
【００２４】
この構成によると、印刷条件に対する貢献ポイントを更新することによって、ユーザが重視したい印刷条件を変更することができる。
【００２５】
本発明に係る画像処理装置は、前記貢献ポイントデータベースには、複数の貢献ポイントデータが保存され、前記ポイント判定手段が判定するときに適用する貢献ポイントデータを指示するデータ指示手段を備えることを特徴とする。
【００２６】
この構成によると、データ指示手段によって、ユーザにとって望ましい貢献ポイントデータを選択できる。
【００２７】
本実施の形態に係るコンピュータプログラムは、コンピュータに、画像データを印刷するときの印刷条件を指示する条件指示ステップを画像処理装置で実行させるコンピュータプログラムであって、コンピュータに、環境保全への貢献度を定量的に示した貢献ポイントと前記印刷条件とを関連付けた貢献ポイントデータを貢献ポイントデータベースに保存させるステップと、コンピュータに、前記貢献ポイントデータに基づいて、指示された印刷条件に対応する貢献ポイントを判定させるポイント判定ステップと、コンピュータに、前記ポイント判定ステップの判定結果を表示手段に表示させる表示ステップとを実行させることを特徴とする。
【００２８】
この構成によると、本発明に係る画像処理装置と同様の機能、作用を実現することができる。
【発明の効果】
【００２９】
本発明に係る画像処理装置およびコンピュータプログラムによれば、画像データ（例えば、文書、写真）を印刷する際に、環境保全への貢献度を表示するため、環境保全に対して有益な情報を提供する画像処理装置とすることができ、ユーザの環境保全に対する意識を高めることができる。
【図面の簡単な説明】
【００３０】
【図１】本発明の実施の形態に係る画像処理装置の概略構成を示すブロック図である。
【図２】画像処理装置での貢献ポイントデータの構成例を示す説明図表である。
【図３】複数の貢献ポイントデータの構成例を示す説明図表である。
【図４】累計ポイントデータに対応する表示パターンの変化の一例を示す説明図表である。
【図５】操作画面の一例を示す説明図である。
【図６Ａ】図５に示す操作画面の変形例１を示す説明図である。
【図６Ｂ】図６Ａに示す操作画面の変形例１において、印刷条件キーを選択したときを示す説明図である。
【図７】図５に示す操作画面の変形例２を示す説明図である。
【図８】本発明の実施の形態１に係る画像処理装置で貢献ポイントを表示する場合の処理フローを示すフロー図である。
【図９】本実施の形態に係る画像処理装置の変形例における操作画面の一例を示す説明図である。
【図１０】表示手段に表示される通知の一例を示した説明図表である。
【図１１】図９に示す画像処理装置の変形例での貢献ポイントを表示する場合の処理フローを示すフロー図である。
【図１２】デジタル複合機の構成を示す概略断面図である。
【発明を実施するための形態】
【００３１】
以下、本発明の実施の形態に係る画像処理装置について、図面に基づいて説明する。
【００３２】
図１は、本発明の実施の形態に係る画像処理装置の概略構成を示すブロック図である。
【００３３】
本実施の形態に係る画像処理装置１００は、画像データを印刷する印刷手段１０１と、印刷手段１０１によって印刷するときの印刷条件を指示する条件指示手段１０４とを備える。画像処理装置１００は、環境保全への貢献度を定量的に示した貢献ポイントと印刷条件とを関連付けた貢献ポイントデータ１０５ｄを保存する貢献ポイントデータベース１０５と、貢献ポイントデータ１０５ｄに基づいて、条件指示手段１０４が指示する印刷条件に対応する貢献ポイントを判定するポイント判定手段１０６と、ポイント判定手段１０６の判定結果を表示する表示手段１０２とを備える。
【００３４】
この構成によると、画像データ（例えば、文書、写真）を印刷する際に、環境保全への貢献度を表示することにより、環境保全に対して有益な情報を提供する画像処理装置とすることができ、ユーザの環境保全に対する意識を高めることができる。
【００３５】
画像処理装置１００は、貢献ポイントを累計した累計ポイントを累計ポイントデータ１０９ｄとして保存する累計ポイントデータベース１０９と、ポイント判定手段１０６の判定結果に基づいて、累計ポイントデータ１０９ｄを更新する累計ポイントデータ更新手段１１０とを備える。表示手段１０２は、累計ポイントデータ１０９ｄに応じて、所定の表示パターン（具体的には、例えば、図４に示すとおりの各表示パターン）を表示する。この構成によると、ユーザは、表示パターンによって、環境保全への貢献度を直観的に把握することができる。また、表示パターンの変化によって、環境保全への貢献度の実績をユーザに直観的に認知させることができる。
【００３６】
画像処理装置１００は、貢献ポイントデータ１０５ｄを更新する貢献ポイントデータ更新手段１０７を備える。この構成によると、印刷条件に対する貢献ポイントを更新することによって、ユーザが重視したい印刷条件を変更することができる。
【００３７】
貢献ポイントデータベース１０５には、複数の貢献ポイントデータ１０５ｄが保存されている。画像処理装置１００は、ポイント判定手段１０６が判定するときに適用する貢献ポイントデータ１０５ｄを指示するデータ指示手段１０８を備える。この構成によると、データ指示手段１０８によって、ユーザにとって望ましい貢献ポイントデータを選択できる。
【００３８】
画像処理装置１００は、上述した印刷手段１０１、表示手段１０２、条件指示手段１０４、貢献ポイントデータベース１０５、ポイント判定手段１０６、貢献ポイントデータ更新手段１０７、データ指示手段１０８、累計ポイントデータベース１０９および累計ポイントデータ更新手段１１０に加えて、さらに操作入力手段１０３を備える。
【００３９】
印刷手段１０１は、画像データ（例えば、文書、写真）を印刷するものであって、例えば、コピー機能、スキャナ機能などを有するデジタル複合機の画像形成部として機能する。デジタル複合機についての詳細は後述する。
【００４０】
表示手段１０２は、操作画面１または操作画面２（後述する図５、図９参照）などを表示するものであって、例えば、液晶ディスプレイである。
【００４１】
操作入力手段１０３は、操作を入力するためのキーなどであって、本実施の形態においては、表示手段１０２および操作入力手段１０３を一体としたタッチパネル（図示しない）として後述するデジタル複合機の表面に設けられている。
【００４２】
条件指示手段１０４は、操作入力手段１０３での入力に応じて、印刷手段１０１に印刷条件を指示する。
【００４３】
貢献ポイントデータベース１０５は、貢献ポイントデータ１０５ｄを電子データとして保存する形態としてある。貢献ポイントデータベース１０５としては、通常の記憶装置を用いることができる。
【００４４】
貢献ポイントデータ更新手段１０７によって、ユーザは、貢献ポイントデータ１０５ｄを編集できる。
【００４５】
貢献ポイントデータ１０５ｄは、保存後の処理により更新された場合、新たな貢献ポイントデータ１０５ｄｒ（更新貢献ポイントデータ１０５ｄｒ）となる。更新は１度に限らず、継続的に繰り返し行うことができることから、１度更新され更新貢献ポイントデータ１０５ｄｒとされた場合でも、２回目以降の更新に対しては更新前の貢献ポイントデータ１０５ｄとして位置づけられる。
【００４６】
ポイント判定手段１０６は、印刷条件に対応する貢献ポイントを判定結果とすることが望ましい。この構成によると、ユーザは、環境保全への貢献度を定量的に把握できる。
【００４７】
データ指示手段１０８は、貢献ポイントデータベース１０５に複数の貢献ポイントデータ１０５ｄが保存されている場合、ポイント判定手段１０６の判定において、いずれの貢献ポイントデータ１０５ｄを適用するか指示するものである。
【００４８】
累計ポイントデータ１０９ｄには、貢献ポイントが累計された累計ポイントが記録されており、累計される貢献ポイントは、印刷手段１０１によって印刷したときの印刷条件に対応するものである。
【００４９】
累計ポイントデータベース１０９は、累計ポイントデータ１０９ｄを電子データとして保存する形態としてある。累計ポイントデータベース１０９としては、通常の記憶装置を用いることができる。
【００５０】
累計ポイントデータ更新手段１１０は、ポイント判定手段１０６の判定結果に基づいて、累計ポイントデータ１０９ｄを更新するものである。
【００５１】
なお、累計ポイントデータ１０９ｄは、保存後の処理により更新された場合、新たな累計ポイントデータ１０９ｄｒ（更新累計ポイントデータ１０９ｄｒ）となる。更新は１度に限らず、継続的に繰り返し行うことができることから、１度更新され更新累計ポイントデータ１０９ｄｒとされた場合でも、２回目以降の更新に対しては更新前の累計ポイントデータ１０９ｄとして位置づけられる。
【００５２】
条件指示手段１０４、ポイント判定手段１０６、貢献ポイントデータ更新手段１０７、データ指示手段１０８および累計ポイントデータ更新手段１１０は、画像処理装置１００が有するＣＰＵ（中央処理装置。不図示）に対して予め組み込まれたコンピュータプログラム（コンピュータ）によって実現される。
【００５３】
次に、貢献ポイントデータの構成について説明する。
【００５４】
図２は、画像処理装置での貢献ポイントデータの構成例を示す説明図表である。
【００５５】
貢献ポイントデータ１０５ｄ（貢献テーブル）は、例えば、カラー印刷またはモノクロ印刷のいずれの印刷方法を適用するかを指示する設定（カラーモード）、色の濃度の設定、両面コピーなどの用紙の設定というようなそれぞれの印刷条件に対して、付与する貢献ポイントを示すテーブルである。なお、貢献ポイントは、ユーザに環境保全への意識付けをするための表示であって、必ずしも環境保全への貢献度を正確に表している必要は無い。
【００５６】
本実施の形態では、カラーモードにおいてモノクロ印刷を選択した場合に、貢献ポイントを付与する設定とされている。また、色の濃度の設定において色の濃度を低くした場合に、高い貢献ポイントを付与する設定とされている。また、用紙の設定において「両面コピー」、「２ｉｎ１」および「４ｉｎ１」を適用した場合に、高い貢献ポイントを付与する設定とされている。
【００５７】
なお、「２ｉｎ１」とは、１枚の用紙に２枚分の原稿を縮小印刷する機能で、「４ｉｎ１」とは、１枚の用紙に４枚分の原稿を縮小印刷する機能であり、どちらも用紙を節約することのできる機能である。また、印刷においてモノクロ印刷を選択すると黒色のみで印字されるため、カラー印刷に比べて印字トナーを節約でき、環境保全に貢献することができる。また、用紙の両面に印字すると、片面に印刷した場合に比べて用紙を節約でき、環境保全に貢献することができる。
【００５８】
また、貢献ポイントを付与する印刷条件は、上記したものに限定されず、例えば、画像処理装置１００における消費電力に対して設定されていてもよい。消費電力を節約する方法として、例えば、画像処理装置のスリープ状態において印刷を指示したとき、所定の回数まで指示を蓄積した後、まとめて実行するなど、周知の方法を適用することができる。
【００５９】
貢献ポイントデータ１０５ｄは、貢献ポイントデータ更新手段１０７によって編集することができ、例えば、紙を節約したい場合には、「両面コピー」、「２ｉｎ１」および「４ｉｎ１」の貢献ポイントを高く設定するなど、適宜選択すればよい。
【００６０】
なお、貢献ポイントは、単位枚数当たりの貢献ポイントとしてもよい。それによって、印刷する枚数に対して、環境保全に対する貢献度に差をつけることができる。
【００６１】
また、印字トナーを節約する印刷条件においては、印字率（用紙の面積に対して印字するドットの割合）に比例するように貢献ポイントを設定してもよい。
【００６２】
図３は、複数の貢献ポイントデータの構成例を示す説明図表である。
【００６３】
貢献ポイントデータベース１０５には、複数の貢献ポイントデータ１０５ｄ（貢献テーブル）が保存されていてもよく、本実施の形態では、貢献テーブルとして、「デフォルトモードＴ１」、「紙節約モードＴ２」、「トナー節約モードＴ３」の３つが貢献ポイントデータベース１０５に保存されている。
【００６４】
「デフォルトモードＴ１」は、それぞれの印刷条件に対して標準的な貢献ポイントが設定されたテーブルである。「紙節約モードＴ２」は、「デフォルトモードＴ１」と比較すると、紙の節約を重視したテーブルであり、「両面コピー」、「２ｉｎ１」、「４ｉｎ１」に対して高い貢献ポイントが設定されている。「トナー節約モードＴ３」は、「デフォルトモードＴ１」と比較すると、色の設定を重視したテーブルであり、カラーモード、色の濃度に対して高い貢献ポイントが設定されている。なお、本発明はこれに限定されず、貢献ポイントの設定、貢献ポイントデータの数は、適宜選択すればよい。
【００６５】
図４は、累計ポイントデータに対応する表示パターンの変化の一例を示す説明図表である。表示パターンは木の成長を表す絵柄で、それぞれが累計ポイントと対応しており、累計ポイントが増加して表示パターンを変更する閾値（表示変更閾値）を越えると、表示手段１０２に表示される絵柄が変更される。具体的には、スタート時の表示パターンは「種子」とされ、累計ポイントが表示変更閾値の「５０」になると、表示パターンは「出芽（２葉）」とされ、累計ポイントが表示変更閾値の「５００」になると、表示パターンは「樹木の小枝」とされ、累計ポイントが表示変更閾値の「１０００」になると、表示パターンは「大樹」とされる。
【００６６】
次に、表示手段１０２に表示される操作画面について説明する。
【００６７】
図５は、操作画面の一例を示す説明図である。
【００６８】
操作画面１は、表示手段１０２に表示されるものであって、印刷条件キーＫ（カラーモード設定キーＫ１、コピー濃度設定キーＫ２、倍率設定キーＫ３、原稿設定キーＫ４、用紙設定キーＫ５、両面コピーキーＫ７、仕上げキーＫ８、ファイリングキーＫ９および特別機能キーＫ６。以下では併せて印刷条件キーＫと記載する。）、スタートキーＳＫ、貢献ポイント表示領域Ａ１（それぞれの印刷条件キーＫ〔Ｋ１〜Ｋ９〕に対応するように配置されている。）、パターン表示領域Ａ２および装置概略表示領域Ａ３を備える。ユーザは、操作入力手段１０３（印刷条件キーＫおよびスタートキーＳＫ）を選択することによって、画像処理装置１００に対する操作を入力することができる。
【００６９】
印刷条件キーＫは、各種の印刷条件を入力するためのものであって、カラー印刷またはモノクロ印刷のいずれかを指示するカラーモード設定キーＫ１、色の濃度を指示するコピー濃度設定キーＫ２、印刷での倍率を指示する倍率設定キーＫ３、原稿を選択することができる原稿設定キーＫ４、用紙のサイズを指示する用紙設定キーＫ５、原稿および用紙において読み取りまたは印刷する面を指示する両面コピーキーＫ７、ソート等の仕上げ方法を指示する仕上げキーＫ８、原稿を読み取った画像の保存を指示するファイリングキーＫ９および上記のほか各種の機能を選択する特別機能キーＫ６で構成されている。
【００７０】
なお、本発明はこれに限定されず、印刷条件キーＫは、ユーザにとって望ましい印刷条件を指示できる構成とされていればよい。例えば、いずれかのキーを選択したとき、更に詳細な指示を入力できるように、表示手段１０２に表示するキーを変更しても良い。
【００７１】
スタートキーＳＫは、印刷条件キーＫの指示に従って印刷手段１０１に画像処理を実行させる指示を入力するものである。
【００７２】
貢献ポイント表示領域Ａ１は、指示された印刷条件に対応する貢献ポイントを表示するものである。
【００７３】
例えば、カラーモード設定キーＫ１によってモノクロ印刷が選択され、貢献ポイントデータ１０５ｄにおいてモノクロ印刷に貢献ポイント「１０」が設定されていると、カラーモード設定キーＫ１に対応する貢献ポイント表示領域Ａ１に「１０ｅｃｏ」と表示される（ｅｃｏとは、貢献ポイントが表示されていることを明確にするために、貢献ポイントに添えて表示されるものであって、他の表記であっても構わない）。また、他の印刷条件キーＫによって、貢献ポイントが付与されている印刷条件を選択すれば、同様の表示がされる。
【００７４】
なお、本実施の形態においては、貢献ポイントを数値として表示したが、本発明はこれに限定されず、例えば、貢献ポイント表示領域Ａ１の色を他の領域と異なる色に変える、貢献ポイント表示領域Ａ１に所定の絵柄を表示するなど、適宜選択すればよい。
【００７５】
パターン表示領域Ａ２は、累計ポイントに応じて上述の表示パターン（図４参照）を表示するものである。
【００７６】
装置概略表示領域Ａ３は、画像処理装置１００にセットされている用紙サイズの表示等を概略表示するものである。
【００７７】
なお、本発明はこれに限定されず、ポイント判定手段１０６の判定結果を表示することができればよい。例えば、貢献ポイント表示領域Ａ１とパターン表示領域Ａ２とを一体として、いずれを表示するか選択するキーを設けるなど、適宜選択できる。
【００７８】
図６Ａは、図５に示す操作画面の変形例１を示す説明図であって、図６Ｂは、図６Ａに示す操作画面の変形例１において、印刷条件キーを選択したときを示す説明図である。
【００７９】
変形例１では、貢献ポイント表示領域Ａ１は、印刷条件の項目を表示する項目表示領域Ａ１１と、印刷条件の設定を表示する設定表示領域Ａ１２とで構成される。
【００８０】
変形例１では、項目表示領域Ａ１１と設定表示領域Ａ１２とを異なる色で表示してあり、印刷条件キーＫによって、貢献ポイントが付与されている印刷条件を選択したとき、項目表示領域Ａ１１と設定表示領域Ａ１２とを同じ色で表示する。
【００８１】
例えば、図６Ａにおいて、カラーモード設定キーＫ１によって、貢献ポイントが付与されていないカラー印刷が選択されると、項目表示領域Ａ１１と設定表示領域Ａ１２とが異なる色で表示してある。ここで、カラーモード設定キーＫ１によって、貢献ポイントが付与されているモノクロ印刷が選択されると、図６Ｂのように、項目表示領域Ａ１１と設定表示領域Ａ１２とが同じ色で表示される。
【００８２】
また、貢献ポイントが付与されている印刷条件であって、印刷条件キーＫによって、貢献ポイントが付与されている印刷条件が指示されていないとき、印刷条件キーＫに対応する貢献ポイント表示領域Ａ１の色を異なる色に変える、表示を点滅させるなどして、ユーザに注意を喚起することができる。
【００８３】
図７は、図５に示す操作画面の変形例２を示す説明図である。
【００８４】
変形例２では、貢献ポイントデータ１０５ｄにおいて設定されている貢献ポイントの程度に応じて、印刷条件キーＫをグループに分けて表示されている。例えば、高い貢献ポイントが付与される印刷条件キーＫをグループＧｒ１として集めて配置し、低い貢献ポイントが付与される印刷条件キーＫをグループＧｒ２として集めて配置し、貢献ポイントが付与されていない印刷条件キーＫをグループＧｒ３として集めて配置してある。印刷条件キーＫをグループに分けて表示することによって、環境保全に貢献できる印刷条件をより明確に表示することができる。
【００８５】
図８は、本発明の実施の形態１に係る画像処理装置で貢献ポイントを表示する場合の処理フローを示すフロー図である。
【００８６】
まず、ステップＳ１ａでは、ユーザによる印刷条件キーＫの選択を待つ。印刷条件キーＫが押下げられないときは（ステップＳ１ａ：ＮＯ）、ステップＳ１ｄへ進む。印刷条件キーＫが押下げられて、条件指示手段１０４から印刷条件を指示されたときは（ステップＳ１ａ：ＹＥＳ）、ステップＳ１ｂへ進む。
【００８７】
ステップＳ１ｂでは、ポイント判定手段１０６によって、指示された印刷条件に貢献ポイントが付与されているかどうかを、貢献ポイントデータ１０５ｄに基づいて判定する。印刷条件に貢献ポイントが付与されているとき（ステップＳ１ｂ：ＹＥＳ）、対応する貢献ポイントを表示手段１０２（貢献ポイント表示領域Ａ１）に表示して（ステップＳ１ｃ）、ステップＳ１ｄへ進む。貢献ポイントが付与されていないとき（ステップＳ１ｂ：ＮＯ）、表示手段１０２の表示を変更せずにステップＳ１ｄへ進む。なお、ステップＳ１ａにおいて、貢献ポイントが付与されている印刷条件を変更した場合、貢献ポイントを表示しないように表示手段１０２の表示を変更しても構わない。
【００８８】
ステップＳ１ｄでは、ユーザによるスタートキーＳＫの選択を待つ。スタートキーＳＫが押下げられたときは（ステップＳ１ｄ：ＹＥＳ）、ステップＳ１ｅへ進む。スタートキーＳＫが押下げられないときは（ステップＳ１ｄ：ＮＯ）、ステップＳ１ａに戻る。ここで、スタートキーＳＫが押下げられるまでは処理を繰り返すため、例えば、複数の印刷条件を指示することや、指示した印刷条件を変更することができる。
【００８９】
ステップＳ１ｅでは、指示された印刷条件に基づいて、印刷手段１０１によって画像処理が実行される。
【００９０】
ステップＳ１ｆでは、印刷条件に対応する貢献ポイントが累計ポイントに加算または減算される。
【００９１】
ステップＳ１ｇでは、累計ポイントデータ更新手段１１０によって、累計ポイントデータ１０９ｄが加算または減算された更新累計ポイントデータ１０９ｄｒに更新される。
【００９２】
ステップＳ１ｈでは、累計ポイントが閾値（表示変更閾値）を超えているとき（ステップＳ１ｈ：ＹＥＳ）、ステップＳ１ｉへ進む。累計ポイントが閾値を超えていないとき（ステップＳ１ｈ：ＮＯ）、表示パターンを変更せずに処理を終了する。
【００９３】
なお、図４で説明した表示変更閾値は、「５０」、「５００」、「１０００」と３種類設定されており、第１段階では、表示変更閾値に「５０」が設定され、累計ポイントが「５０」になった段階では、表示変更閾値に「５００」が設定され、累計ポイントが「５００」になった段階では、表示変更閾値に「１０００」が設定されるように構成しておく。
【００９４】
ステップＳ１ｉでは、累計ポイントデータ更新手段１１０によって、表示手段１０２（パターン表示領域Ａ２）に表示する表示パターンが変更され、処理を終了する。
【００９５】
また、画像処理装置１００を利用する際に、ユーザを特定するようにして、ユーザに対応する累計ポイントデータを保存する構成としても構わない。それによって、ユーザ毎に異なる表示パターンを表示することができる。また、累計ポイントデータを全てのユーザに共通するものとして、ユーザ全体で同一の表示パターンを表示しても構わない。
【００９６】
次に、本実施の形態の変形例について説明する。
【００９７】
図９は、本実施の形態に係る画像処理装置の変形例における操作画面の一例を示す説明図である。なお、図５と機能が実質的に等しい構成要素については、同一の符号を付して説明を省略する。変形例では、ユーザの環境保全に対する意識をさらに高めるために、以下のようにして環境保全への貢献度を表示している。
【００９８】
ポイント判定手段１０６は、条件指示手段１０４によって複数の印刷条件を指示されたとき、それぞれの印刷条件に対応する貢献ポイントを合計した値を判定結果とする。この構成によると、複数の印刷条件を組み合わせたときの、貢献ポイントを表示できるため、更に環境保全に貢献できることを表示できる。それによって、ユーザにより効果的な画像処理装置の利用を促すことができる。
【００９９】
表示手段１０２は、ポイント判定手段１０６の判定結果に応じて、所定の通知（具体的には、例えば、図１０に示すとおりの各通知）を表示する。この構成によると、ユーザは、環境保全への貢献度をさらに明確に把握できる。
【０１００】
表示手段１０２は、条件指示手段１０４からの指示と同期するように所定の表示パターン（図４参照）を表示する。この構成によると、ユーザは、印刷条件を指定した際に、環境保全への貢献度を即座に把握できる。
【０１０１】
累計ポイントデータ１０９ｄには、表示手段１０２に表示される表示パターンを決定するための閾値が設定されている。表示手段１０２は、累計ポイントと閾値との差を表示する。この構成によると、ユーザは、表示パターンを変化させるために必要な貢献ポイントを把握できる。
【０１０２】
また、貢献ポイントデータベース１０５には、複数の印刷条件を指示したときに、貢献ポイントをさらに追加する貢献ポイントデータ１０５ｄが保存されていても構わない。例えば、貢献ポイント「１０」が付与されたモノクロ印刷と、貢献ポイント「１０」が付与された両面コピーとを組み合わせたとき、貢献ポイントを合計した値「２０」にさらに貢献ポイント「１０」を追加するといったことである。
【０１０３】
操作画面２は、操作画面１と同様に表示手段１０２に表示されるものであって、印刷条件キーＫ、スタートキーＳＫ、貢献ポイント表示領域Ａ１、パターン表示領域Ａ２および装置概略表示領域Ａ３に加えて、さらに、合計ポイント表示領域Ａ４、通知表示領域Ａ５および必要ポイント表示領域Ａ６を備える。
【０１０４】
合計ポイント表示領域Ａ４は、印刷条件に対応する貢献ポイントを合計した値を表示するものである。例えば、貢献ポイント「２０」が付与された印刷条件と貢献ポイント「１０」が付与された印刷条件とが指示された場合、合計ポイント表示領域Ａ４には、「３０ｅｃｏ」と表示される。
【０１０５】
通知表示領域Ａ５は、ポイント判定手段１０６の判定結果に応じて、所定の通知（図１０参照）を表示するものである。
【０１０６】
必要ポイント表示領域Ａ６は、累計ポイントと表示パターンを決定するための閾値（表示変更閾値）との差を表示するものである。
【０１０７】
なお、本発明はこれに限定されず、合計ポイント表示領域Ａ４、通知表示領域Ａ５および必要ポイント表示領域Ａ６のいずれを設けるかは、適宜選択できる。
【０１０８】
図１０は、表示手段１０２に表示される通知の一例を示した説明図表である。本実施の形態においては、貢献ポイントに対して表示する通知を決定するための閾値が設定されており、貢献ポイントが「２０」を越えると「Ｎｉｃｅ  ＥＣＯ！！」と表示し、貢献ポイントが「４０」を越えると「Ｇｏｏｄ  ＥＣＯ！！」と表示し、貢献ポイントが「６０」を越えると「Ｅｘｃｅｌｌｅｎｔ  ＥＣＯ！！」と表示しているが、本発明はこれに限定されず、どのような表示をするか適宜選択すればよい。
【０１０９】
図１１は、図９に示す画像処理装置の変形例での貢献ポイントを表示する場合の処理フローを示すフロー図である。
【０１１０】
まず、ステップＳ２ａでは、ユーザによる印刷条件キーＫの選択を待つ。印刷条件キーＫが押下げられないときは（ステップＳ２ａ：ＮＯ）、ステップＳ２ｈへ進む。印刷条件キーＫが押下げられて、条件指示手段１０４から印刷条件を指示されたときは（ステップＳ２ａ：ＹＥＳ）、ステップＳ２ｂへ進む。
【０１１１】
ステップＳ２ｂでは、ポイント判定手段１０６によって、指示された印刷条件に貢献ポイントが付与されているかどうかを、貢献ポイントデータ１０５ｄに基づいて判定する。印刷条件に貢献ポイントが付与されているとき（ステップＳ２ｂ：ＹＥＳ）、対応する貢献ポイントを表示手段１０２（貢献ポイント表示領域Ａ１）に表示して（ステップＳ２ｃ）、ステップＳ２ｄへ進む。貢献ポイントが付与されていないとき（ステップＳ２ｂ：ＮＯ）、表示手段１０２の表示を変更せずにステップＳ２ｄへ進む。ステップＳ２ａにおいて、貢献ポイントが付与されている印刷条件を変更した場合、貢献ポイントを表示しないように表示手段１０２の表示を変更しても構わない。また、複数の印刷条件が指示されたときは、それぞれの印刷条件に対応する貢献ポイントの合計値を表示手段１０２（合計ポイント表示領域Ａ４）に表示する。
【０１１２】
ステップＳ２ｄでは、付与された貢献ポイントが通知を表示する閾値を超えているときは（ステップＳ２ｄ：ＹＥＳ）、表示手段１０２（通知表示領域Ａ５）に所定の通知（図１０参照）を表示して（ステップＳ２ｅ）、ステップＳ２ｆへ進む。閾値を越えていないとき（ステップＳ２ｄ：ＮＯ）、表示を変更せずにステップＳ２ｆへ進む。
【０１１３】
ステップＳ２ｆでは、印刷条件に対応する貢献ポイントが累計ポイントに加算または減算される。
【０１１４】
ステップＳ２ｇでは、累計ポイントデータ更新手段１１０によって、累計ポイントデータ１０９ｄが加算または減算された更新累計ポイントデータ１０９ｄｒに更新される。
【０１１５】
ステップＳ２ｈでは、更新された累計ポイントが閾値（表示変更閾値）を超えているとき（ステップＳ２ｈ：ＹＥＳ）、累計ポイントデータ更新手段１１０によって、表示手段１０２（パターン表示領域Ａ２）に表示する表示パターンが変更され（ステップＳ２ｉ）、ステップＳ２ｋへ進む。累計ポイントが閾値を超えていないとき（ステップＳ２ｈ：ＮＯ）、累計ポイントと表示パターンを決定するための閾値（表示変更閾値）との差を表示手段１０２（必要ポイント表示領域Ａ６）に表示して（ステップＳ２ｊ）、ステップＳ２ｋへ進む。なお、ステップＳ２ｈでは、上述したステップＳ１ｇと同様に表示変更閾値が設定されるように構成しておく。
【０１１６】
ステップＳ２ｋでは、ユーザによるスタートキーＳＫの選択を待つ。スタートキーＳＫが押下げられたときは（ステップＳ２ｋ：ＹＥＳ）、ステップＳ２ｍへ進む。スタートキーＳＫが押下げられないときは（ステップＳ２ｋ：ＮＯ）、ステップＳ２ａに戻る。ここで、スタートキーＳＫが押下げられるまでは処理を繰り返すため、例えば、複数の印刷条件を指示することや、指示した印刷条件を変更することができる。
【０１１７】
ステップＳ２ｍでは、指示された印刷条件に基づいて、印刷手段１０１によって画像処理が実行され、処理が終了する。
【０１１８】
本実施の形態にかかるコンピュータプログラムは、コンピュータに、画像データを印刷するときの印刷条件を指示する条件指示ステップを画像処理装置で実行させるコンピュータプログラムであって、コンピュータに、環境保全への貢献度を定量的に示した貢献ポイントと前記印刷条件とを関連付けた貢献ポイントデータを貢献ポイントデータベースに保存させるステップと、コンピュータに、前記貢献ポイントデータに基づいて、指示された印刷条件に対応する貢献ポイントを判定させるポイント判定ステップと、コンピュータに、前記ポイント判定ステップの判定結果を表示手段に表示させる表示ステップとを実行させる。
【０１１９】
この構成によると、本発明に係る画像処理装置と同様の機能、作用を実現することができる。
【０１２０】
本実施の形態に係るコンピュータプログラムでは、ポイント判定ステップは、コンピュータに、印刷条件に対応する貢献ポイントを判定結果とさせる。
【０１２１】
本実施の形態に係るコンピュータプログラムでは、ポイント判定ステップは、コンピュータに、条件指示ステップによって複数の印刷条件を指示されたとき、それぞれの印刷条件に対応する貢献ポイントを合計した値を判定結果とさせる。
【０１２２】
本実施の形態に係るコンピュータプログラムでは、表示ステップは、コンピュータに、ポイント判定ステップの判定結果に応じて、所定の通知を表示手段に表示させる。
【０１２３】
本実施の形態に係るコンピュータプログラムでは、コンピュータに、貢献ポイントを累計した累計ポイントを累計ポイントデータとして累計ポイントデータベースに保存し、ポイント判定ステップの判定結果に基づいて、累計ポイントデータを更新する累計ポイントデータ更新ステップを実行させる。表示ステップは、コンピュータに、累計ポイントデータに応じて、所定の表示パターンを表示手段に表示させる。
【０１２４】
本実施の形態に係るコンピュータプログラムでは、表示ステップは、コンピュータに、条件指示ステップでの指示と同期するように所定の表示パターンを表示手段に表示させる。
【０１２５】
本実施の形態に係るコンピュータプログラムでは、累計ポイントデータには、表示ステップで表示される表示パターンを決定するための閾値が設定されており、表示ステップは、コンピュータに、累計ポイントと閾値との差を表示手段に表示させる。
【０１２６】
本実施の形態に係るコンピュータプログラムでは、コンピュータに、貢献ポイントデータを更新させる貢献ポイントデータ更新ステップを実行させる。
【０１２７】
本実施の形態に係るコンピュータプログラムでは、貢献ポイントデータベースに、複数の貢献ポイントデータが保存され、コンピュータに、ポイント判定ステップで判定するときに適用する貢献ポイントデータを指示させるデータ指示ステップを実行させる。
【０１２８】
次に、印刷手段１０１に係るデジタル複合機について説明する。
【０１２９】
図１２は、デジタル複合機１０の構成を示す概略断面図である。デジタル複合機１０は、原稿読取部１０ｂにより読み取られた原稿の画像または外部装置から受信した画像をカラーもしくは単色で記録用紙に印刷する。
【０１３０】
デジタル複合機１０は、上部から下部に向かって、原稿搬送部１０ａ、原稿読取部１０ｂ、画像形成部１０ｃおよび給紙部１０ｄを備えている。
【０１３１】
原稿搬送部１０ａは、原稿セットトレイ４１にセットされた原稿を原稿読取部１０ｂの原稿読取位置に搬送する。この場合、原稿セットトレイ４１にセットされた原稿は、原稿ピックアップローラ４４の回転により原稿セットトレイ４１から引き出される。次に、原稿は、サバキローラ４５と分離パッド４６との間を通過して１枚ずつに分離されてから搬送経路４７へと搬送される。この搬送経路４７では、原稿の先端が原稿レジストローラ４９に当接して原稿レジストローラ４９と平行に揃えられる。次に、原稿は、原稿レジストローラ４９により搬送されて読取ガイド５１と読取ガラス５２との間（原稿読取位置）を通過する。その後、原稿は、搬送ローラ５７により搬送され、排紙ローラ５８により排紙トレイ５９に排出される。
【０１３２】
原稿読取部１０ｂは、原稿搬送部１０ａにより搬送される原稿の画像を読み取る。この読取動作では、原稿が読取ガイド５１と読取ガラス５２との間を通過する際に、第１走査部５３の光源の光が読取ガラス５２を介して原稿表面に照射される。原稿からの反射光は、読取ガラス５２を介して第１走査部５３に入射し、第１走査部５３および第２走査部５４のミラーにて反射され、結像レンズ５５へと導かれる。さらに、結像レンズ５５によってＣＣＤ（Ｃｈａｒｇｅ  Ｃｏｕｐｌｅｄ  Ｄｅｖｉｃｅ）５６上に結像される。これにより、ＣＣＤ５６は、原稿の画像を読み取り、原稿の画像を示す画像データを出力する。
【０１３３】
また、原稿読取部１０ｂでは原稿台ガラス６１上に載置された原稿を読み取ることができる。原稿搬送部１０ａは、原稿読取部１０ｂの後面側で開閉可能に支持されている。原稿搬送部１０ａを上方に回転させ、原稿台ガラス６１を開放すると、原稿台ガラス６１上に原稿を載置することができる。原稿搬送部１０ａは、原稿台ガラス６１上に原稿が載置された後に閉じられる。原稿の画像を読み取る際には、第１走査部５３および第２走査部５４が副走査方向に移動しつつ、第１走査部５３の光源の光りが原稿台ガラス６１上の原稿表面に照射される。原稿からの反射光は、第１走査部５３および第２走査部５４によって結像レンズ５５へと導かれ、結像レンズ５５によってＣＣＤ５６上に結像される。このとき、第１走査部５３と第２走査部５４とが相互に所定の速度関係を維持しつつ移動する。したがって、反射光における、原稿表面から第１走査部５３までの光路長と、第２走査部５４から結像レンズ５５を経由したＣＣＤ５６までの光路長との関係が変化しないように、第１走査部５３および第２走査部５４の位置関係が常に維持され、これによりＣＣＤ５６上での原稿の画像のピントが常に正確に維持される。
【０１３４】
こうして読み取られた原稿の画像は、画像データとしてデジタル複合機１０のレーザ露光装置１へ入力され、画像形成部１０ｃにおいて上記画像データに応じた画像が記録用紙に印刷される。
【０１３５】
画像形成部１０ｃは、レーザ露光装置１、現像装置２、感光体ドラム３、帯電器５、クリーナ装置４、中間転写ベルト装置８、定着装置１２、用紙搬送経路Ｓ、および用紙排出トレイ１５を備えている。
【０１３６】
デジタル複合機１０において扱われる画像データは、ブラック（Ｋ）、シアン（Ｃ）、マゼンタ（Ｍ）、イエロー（Ｙ）の各色を用いたカラー画像に応じたもの、または単色（例えばブラック）を用いたモノクロ画像に応じたものである。したがって、現像装置２、感光体ドラム３、帯電器５およびクリーナ装置４は、各色に応じた４種類の潜像を形成するようにそれぞれ４個ずつ設けられ、それぞれがブラック、シアン、マゼンタ、およびイエローに対応付けられて、４つの画像ステーションＰａ、Ｐｂ、Ｐｃ、Ｐｄが構成されている。
【０１３７】
感光体ドラム３は、静電潜像が形成され、またこの静電潜像を現像して得られるトナー像を担持し、像像担持体として機能する。
【０１３８】
帯電器５は、感光体ドラム３の表面を所定の電位に均一に帯電させるための帯電手段であり、接触型であるローラ型やブラシ型の帯電器のほか、チャージャー型の帯電器が用いられる。
【０１３９】
レーザ露光装置１は、レーザダイオードおよび反射ミラーを備えたレーザスキャニングユニット（ＬＳＵ）であり、帯電された感光体ドラム３表面を画像データに応じて露光して、その表面に画像データに対応する静電潜像を形成する。
【０１４０】
現像装置２は、感光体ドラム３上に形成された静電潜像を（Ｋ、Ｃ、Ｍ、Ｙ）のトナーにより現像する。クリーナ装置４は、感光体ドラム３から中間転写ベルト７へのトナー像の転写後に、感光体ドラム３表面に残留したトナーを除去および回収する。
【０１４１】
中間転写ベルト装置８は、感光体ドラム３の上方に配置され、中間転写ベルト７、中間転写ベルト駆動ローラ２１、従動ローラ２２、中間転写ローラ６、および中間転写ベルトクリーニング装置９を備えている。
【０１４２】
中間転写ベルト７は、中間転写ベルト駆動ローラ２１、中間転写ローラ６および従動ローラ２２に架設され、これらローラに支持されて矢印Ｃ方向に周回移動する。転写ベルトは、厚さ１００μｍ〜１５０μｍ程度のフィルムを用いて無端ベルト状に形成されている。中間転写ベルト７は、各感光体ドラム３に接触するように設けられ、各感光体ドラム３表面のトナー像が順次重ねて転写される。これにより、中間転写ベルト７上には、カラーのトナー像（各色のトナー像）が形成される。
【０１４３】
中間転写ローラ６は、中間転写ベルト７近傍に回転可能に支持され、中間転写ベルト７を介して感光体ドラム３に圧接されている。中間転写ローラ６には、感光体ドラム３上のトナー像を中間転写ベルト７に転写するための転写バイアスが印加されている。中間転写ローラ６は、直径８〜１０ｍｍの金属（例えばステンレス）軸をベースとし、その表面は、導電性の弾性材（例えばＥＰＤＭ、発泡ウレタン等）により覆われているローラである。この導電性の弾性材により、記録用紙に対して均一に高電圧を印加することができる。
【０１４４】
感光体ドラム３から中間転写ベルト７へのトナー像の転写は、中間転写ベルト７裏面に圧接されている中間転写ローラ６によって行われる。したがって、中間転写ローラ６には、トナー像を転写するために高電圧の転写バイアス（トナーの帯電極性（−）とは逆極性（＋）の高電圧）が印加されている。
【０１４５】
上述のように、中間転写ベルト装置８では、各感光体ドラム３表面のトナー像が中間転写ベルト７に積層され、画像データによって示されるカラーのトナー像となる。この積層された各色のトナー像は、中間転写ベルト７の移動に伴って２次転写装置１１の位置に搬送され、中間転写ベルト７と接触する２次転写装置１１の転写ローラ１１ａによって記録用紙上に転写される。
【０１４６】
中間転写ベルト７と２次転写装置１１の転写ローラ１１ａとは相互に圧接されて、ニップ域を形成する。また、２次転写装置１１の転写ローラ１１ａには、中間転写ベルト７上の各色のトナー像を記録用紙に転写させるための電圧（トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラ、または発泡性樹脂ローラ等）としている。
【０１４７】
また、２次転写装置１１によって中間転写ベルト７上のトナー像が記録用紙上に完全に転写されず、中間転写ベルト７上にトナーが残留することがあり、この残留トナーが次工程でトナーの混色を発生させる原因となる。このため、中間転写ベルトクリーニング装置９によって残留トナーを除去および回収する。中間転写ベルトクリーニング装置９には、例えばクリーニング部材として、中間転写ベルト７に接触して残留トナーを除去するクリーニングブレードが設けられており、クリーニングブレードが接触する部位で、従動ローラ２２により中間転写ベルト７裏側が支持されている。
【０１４８】
給紙部１０ｄは給紙トレイ１０を備えている。給紙トレイ１０はデジタル複合機１０の下部に設けられている。給紙トレイ１０は、記録用紙を格納しており、その記録紙を画像形成部１０ｃに供給する。
【０１４９】
給紙トレイ１０から供給された記録用紙は、Ｓの字形状の用紙搬送経路Ｓにより、画像形成部１０ｃの２次転写装置１１や定着装置１２を経由させて用紙排出トレイ１５に送られる。この用紙搬送経路Ｓに沿って、用紙ピックアップローラ１６、用紙レジストローラ１４、定着装置１２、および記録用紙を搬送する搬送ローラ等が配置されている。
【０１５０】
用紙ピックアップローラ１６は、給紙トレイ１０の端部に設けられ、給紙トレイ１０から記録用紙を１枚ずつ用紙搬送経路Ｓに供給する呼び込みローラである。搬送ローラは、記録用紙の搬送を促進補助するための小型のローラであり、複数個設けられている。
【０１５１】
用紙レジストローラ１４は、給紙トレイ１０から搬送されて来た記録用紙を一旦停止させる。用紙レジストローラ１４では、記録用紙の先端を揃える。また、中間転写ベルト７と２次転写装置１１の転写ローラ１１ａ間のニップ域で中間転写ベルト７上のカラーのトナー像が記録用紙に転写されるように、感光体ドラム３および中間転写ベルト７の回転にあわせて、記録用紙をタイミングよく搬送する。
【０１５２】
例えば、用紙レジストローラ１４は、図示しないレジスト前検知スイッチの検出出力に基づき、中間転写ベルト７と２次転写装置１１の転写ローラ１１ａ間のニップ域で中間転写ベルト７上のカラーのトナー像の先端が記録用紙の画像形成領域の先端に合うように、記録用紙を搬送する。
【０１５３】
定着装置１２は、加熱ローラ３１および加圧ローラ３２等を備えている。加熱ローラ３１および加圧ローラ３２は、中間転写ベルト７と２次転写装置１１の転写ローラ１１ａ間のニップ域を通過して来た記録用紙を挟み込んで搬送する。
【０１５４】
加熱ローラ３１は、図示しない温度検出器の検出出力に基づき、所定の定着温度となるように制御されており、加圧ローラ３２とともに記録用紙を熱圧着することにより、記録用紙に転写されたトナー像を溶融、混合、圧接し、記録用紙に対して熱定着させる機能を有している。各色のトナー像を定着した後の記録用紙は、搬送ローラによって用紙排出トレイ１５上にフェイスダウンで排出される。
【符号の説明】
【０１５５】
１００  画像処理装置
１０１  印刷手段
１０２  表示手段
１０３  操作入力手段
１０４  条件指示手段
１０５  貢献ポイントデータベース
１０５ｄ  貢献ポイントデータ
１０５ｄｒ  更新貢献ポイントデータ
１０６  ポイント判定手段
１０７  貢献ポイントデータ更新手段
１０８  データ指示手段
１０９  累計ポイントデータベース
１０９ｄ  累計ポイントデータ
１０９ｄｒ  更新累計ポイントデータ
１１０  累計ポイントデータ更新手段
【図１】
2011244147.tif 000003
【図２】
2011244147.tif 000004
【図３】
2011244147.tif 000005
【図４】
2011244147.tif 000006
【図５】
2011244147.tif 000007
【図６Ａ】
2011244147.tif 000008
【図６Ｂ】
2011244147.tif 000009
【図７】
2011244147.tif 000010
【図８】
2011244147.tif 000011
【図９】
2011244147.tif 000012
【図１０】
2011244147.tif 000013
【図１１】
2011244147.tif 000014
【図１２】
2011244147.tif 000015